(57)【要約】【課題】電力制限活動に対して不満を抱かせないようにする。【解決手段】制御装置１００は、調整情報抽出部１０１と状態取得部１０２と操作取得部１０３と操作構築部１０５と表示制御部１０６と画面生成部１０７と出力部１０８とを備える。調整情報抽出部１０１は、電力使用量を調整する指示に含まれる電力使用量の抑制期間を抽出する。状態取得部１０２は、機器の動作状態を取得する。操作取得部１０３は、利用者の入力情報を取得する。操作構築部１０５は、入力情報もしくは機器の動作状態の少なくともいずれかに基づき、機器ごとの設定項目を抽出する。表示制御部１０６は、抑制期間に基づいて、機器ごとの設定項目の表示可否を判断する。画面生成部１０７は、設定項目と表示制御部の判断結果に基づき、操作画面情報を生成する。出力部１０８は、操作画面情報を出力する。【選択図】図２
2019176690.tif 000002
【特許請求の範囲】
【請求項１】
電力使用量を調整する指示を取得し、前記指示が電力使用量の抑制である場合、前記指示に含まれる電力使用量の抑制期間を抽出する調整情報抽出部と、
施設内ネットワークに接続される機器の動作状態に関する情報を、前記施設内ネットワークを介して取得する状態取得部と、
利用者の入力情報を取得する操作取得部と、
前記操作取得部から取得した前記入力情報もしくは前記状態取得部から取得した前記機器の動作状態の少なくともいずれかに基づき、前記機器ごとの設定項目を抽出する操作構築部と、
前記調整情報抽出部から取得した前記抑制期間に関する情報に基づいて、前記操作構築部が抽出した前記機器ごとの設定項目の表示可否を判断する表示制御部と、
前記操作構築部が抽出した前記設定項目と前記表示制御部の判断結果に基づき、操作画面情報を生成する画面生成部と、
前記画面生成部が生成した前記操作画面情報を出力する出力部と、
を備える制御装置。
【請求項２】
前記操作構築部が抽出する設定項目は、前記機器の運転モードを設定する運転モード設定と、前記設定中の運転モードに関する数値または段階を設定する運転レベル設定とを含み、
前記表示制御部は、前記調整情報抽出部が抽出した抑制期間において、前記機器の運転モード設定と、一部の運転レベル設定のみを表示するよう判断する
ことを特徴とする請求項１に記載の制御装置。
【請求項３】
前記表示制御部は、前記調整情報抽出部が抽出した抑制期間において、前記機器の運転モード設定のみを表示するよう判断する
ことを特徴とする請求項２に記載の制御装置。
【請求項４】
前記表示制御部は、前記調整情報抽出部が抽出した抑制期間において、前記状態取得部が取得する前記機器の動作状態に関する情報から、待機状態でない機器の設定項目を表示するよう判断する
ことを特徴とする請求項１に記載の制御装置。
【請求項５】
前記施設の電力使用量を取得する電力情報取得部を備え、
前記調整情報抽出部が取得する指示には、前記施設における前記電力使用量の許容値を含み、
前記表示制御部は、前記各機器が、前記状態取得部が取得した動作状態から別の動作状態に遷移する場合の電力変化量を算出し、前記算出した電力変化量と、前記電力情報取得部が取得した電力使用量とから、前記機器が前記別の動作状態に遷移した場合の前記施設における前記電力使用量を見積り、前記見積った電力使用量が前記許容値以下であれば、前記機器を前記別の動作状態に遷移させるための設定項目を表示するよう判断する
ことを特徴とする請求項１に記載の制御装置。
【請求項６】
施設内ネットワークに接続される機器と、
前記機器と通信可能に設けられる制御装置と、を備え、
前記制御装置は、
電力使用量を調整する指示を取得し、前記指示が電力使用量の抑制である場合、前記指示に含まれる電力使用量の抑制期間を抽出する調整情報抽出部と、
前記施設内ネットワークに接続される前記機器の動作状態に関する情報を、前記施設内ネットワークを介して取得する状態取得部と、
利用者の入力情報を取得する操作取得部と、
前記操作取得部から取得した前記入力情報もしくは前記状態取得部から取得した前記機器の動作状態の少なくともいずれかに基づき、前記機器ごとの設定項目を抽出する操作構築部と、
前記調整情報抽出部から取得した前記抑制期間に関する情報に基づいて、前記操作構築部が抽出した前記機器ごとの設定項目の表示可否を判断する表示制御部と、
前記操作構築部が抽出した前記設定項目と前記表示制御部の判断結果に基づき、操作画面情報を生成する画面生成部と、
前記画面生成部が生成した前記操作画面情報を出力する出力部と、を有する
ことを特徴とする機器制御システム。
【請求項７】
調整情報抽出部が電力使用量を調整する指示を取得し、前記指示が電力使用量の抑制である場合、前記指示に含まれる電力使用量の抑制期間を抽出する調整情報抽出ステップと、
状態取得部が施設内ネットワークに接続される機器の動作状態に関する情報を、前記施設内ネットワークを介して取得する状態取得ステップと、
操作取得部が利用者の入力情報を取得する操作取得ステップと、
操作構築部が前記操作取得ステップで取得した前記入力情報もしくは前記状態取得ステップで取得した前記機器の動作状態の少なくともいずれかに基づき、前記機器ごとの設定項目を抽出する操作構築ステップと、
表示制御部が前記調整情報抽出ステップで抽出した前記抑制期間に関する情報に基づいて、前記操作構築ステップで抽出した前記機器ごとの設定項目の表示可否を判断する表示制御ステップと、
画面生成部が前記操作構築ステップで抽出した前記設定項目と前記表示制御ステップで判断した結果に基づき、操作画面情報を生成する画面生成ステップと、
出力部が前記画面生成ステップで生成した前記操作画面情報を出力する出力ステップと、
を有する機器制御方法。
【請求項８】
コンピュータに、
電力使用量を調整する指示を取得し、前記指示が電力使用量の抑制である場合、前記指示に含まれる電力使用量の抑制期間を抽出する調整情報抽出ステップ、
施設内ネットワークに接続される機器の動作状態に関する情報を、前記施設内ネットワークを介して取得する状態取得ステップ、
利用者の入力情報を取得する操作取得ステップ、
前記操作取得ステップで取得した前記入力情報もしくは前記状態取得ステップで取得した前記機器の動作状態の少なくともいずれかに基づき、前記機器ごとの設定項目を抽出する操作構築ステップ、
前記調整情報抽出ステップで抽出した前記抑制期間に関する情報に基づいて、前記操作構築ステップで抽出した前記機器ごとの設定項目表示可否を判断する表示制御ステップ、
前記操作構築ステップで抽出した前記設定項目と前記表示制御ステップで判断した結果に基づき、操作画面情報を生成する画面生成ステップ、
前記画面生成ステップで生成した前記操作画面情報を出力する出力ステップ、
を実行させるためのプログラム。
【発明の詳細な説明】
【技術分野】
【０００１】
本発明は、制御装置、機器制御システム、機器制御方法、およびプログラムに関する。
【背景技術】
【０００２】
近年、電力供給と需要のバランスを一致させるデマンドレスポンス（Ｄｅｍａｎｄ  Ｒｅｓｐｏｎｓｅ、以下ＤＲという）の試みが始まっている。例えば、電力会社の電力供給状況に応じて、ＤＲ指令が管轄する地域の需要家に送信される。一般に、電力使用量を減らすＤＲ指令を下げＤＲといい、電力使用量を増やすＤＲ指令要請を上げＤＲという。電力事業者は、例えば、電力需給が逼迫すると予想されると、需要家に下げＤＲを発行して、電力不足が発生しないようにする。需要家が備えるＨＥＭＳ（Ｈｏｍｅ  Ｅｎｅｒｇｙ  Ｍａｎａｇｅｍｅｎｔ  Ｓｙｓｔｅｍ）やＢＥＭＳ（Ｂｕｉｌｄｉｎｇ  Ｅｎｅｒｇｙ  Ｍａｎａｇｅｍｅｎｔ  Ｓｙｓｔｅｍ）は、下げＤＲを受け取ると、家電を最適に制御する。例えば、特許文献１には、家電が電力制限運転を行っている期間に、消費電力が上がる方向の操作が行われると、当該操作を無効化すると共に、家電が電力制限運転中であることを知らせるメッセージを表示する遠隔操作システムが開示されている。
【先行技術文献】
【特許文献】
【０００３】
【特許文献１】特開２０１５−１６２７５４号公報
【発明の概要】
【発明が解決しようとする課題】
【０００４】
しかしながら、特許文献１に提案されている遠隔操作システムでは、利用者によっては、電力制限運転中に操作が無効化されることによって、電力制限活動に対して不満を抱くことがある。本発明は、上記の課題を解決するためになされたものであり、電力制限活動に対して利用者に不満を抱かせないことを目的とする。
【０００５】
本発明は上記の課題を解決するためになされたものであり、電力制限活動に対して利用者に不満を抱かせないことを目的とする。
【課題を解決するための手段】
【０００６】
上記の目的を達するため、本発明に係る制御装置は、電力使用量を調整する指示を取得し、指示が電力使用量の抑制である場合、指示に含まれる電力使用量の抑制期間を抽出する調整情報抽出部と、施設内ネットワークに接続される機器の動作状態に関する情報を、施設内ネットワークを介して取得する状態取得部と、利用者の入力情報を取得する操作取得部と、操作取得部から取得した入力情報もしくは状態取得部から取得した機器の動作状態の少なくともいずれかに基づき、機器ごとの設定項目を抽出する操作構築部と、調整情報抽出部から取得した抑制期間に関する情報に基づいて、操作構築部が抽出した機器ごとの設定項目の表示可否を判断する表示制御部と、操作構築部が抽出した設定項目と表示制御部の判断結果に基づき、操作画面情報を生成する画面生成部と、画面生成部が生成した操作画面情報を出力する出力部と、を備える。
【０００７】
また本発明に係る機器制御システムは、施設内ネットワークに接続される機器と、機器と通信可能に設けられる制御装置と、を備え、制御装置は、電力使用量を調整する指示を取得し、指示が電力使用量の抑制である場合、指示に含まれる電力使用量の抑制期間を抽出する調整情報抽出部と、施設内ネットワークに接続される機器の動作状態に関する情報を、施設内ネットワークを介して取得する状態取得部と、利用者の入力情報を取得する操作取得部と、操作取得部から取得した入力情報もしくは状態取得部から取得した機器の動作状態の少なくともいずれかに基づき、機器ごとの設定項目を抽出する操作構築部と、調整情報抽出部から取得した抑制期間に関する情報に基づいて、操作構築部が抽出した機器ごとの設定項目の表示可否を判断する表示制御部と、操作構築部が抽出した設定項目と表示制御部の判断結果に基づき、操作画面情報を生成する画面生成部と、画面生成部が生成した操作画面情報を出力する出力部と、を有する。
【０００８】
また本発明に係る機器制御方法は、電力使用量を調整する指示を取得し、指示が電力使用量の抑制である場合、指示に含まれる電力使用量の抑制期間を抽出する調整情報抽出ステップと、施設内ネットワークに接続される機器の動作状態に関する情報を、施設内ネットワークを介して取得する状態取得ステップと、利用者の入力情報を取得する操作取得ステップと、操作取得ステップで取得した入力情報もしくは状態取得ステップで取得した機器の動作状態の少なくともいずれかに基づき、機器ごとの設定項目を抽出する操作構築ステップと、調整情報抽出ステップで抽出した抑制期間に関する情報に基づいて、操作構築ステップで抽出した機器ごとの設定項目の表示可否を判断する表示制御ステップと、操作構築ステップで抽出した設定項目と表示制御ステップで判断した結果に基づき、操作画面情報を生成する画面生成ステップと、画面生成ステップで生成した操作画面情報を出力する出力ステップと、を有する。
【０００９】
また本発明に係るプログラムは、コンピュータに、電力使用量を調整する指示を取得し、指示が電力使用量の抑制である場合、指示に含まれる電力使用量の抑制期間を抽出する調整情報抽出ステップ、施設内ネットワークに接続される機器の動作状態に関する情報を、施設内ネットワークを介して取得する状態取得ステップ、利用者の入力情報を取得する操作取得ステップ、操作取得ステップで取得した入力情報もしくは状態取得ステップで取得した機器の動作状態の少なくともいずれかに基づき、機器ごとの設定項目を抽出する操作構築ステップ、調整情報抽出ステップで抽出した抑制期間に関する情報に基づいて、操作構築ステップで抽出した機器ごとの設定項目の表示可否を判断する表示制御ステップ、操作構築ステップで抽出した設定項目と表示制御ステップで判断した結果に基づき、操作画面情報を生成する画面生成ステップ、画面生成ステップで生成した操作画面情報を出力する出力ステップ、を実行させる。
【発明の効果】
【００１０】
本発明に係る制御装置によれば、電力使用量を調整する指示を取得し、指示が電力使用量の抑制である場合、指示に含まれる電力使用量の抑制期間を抽出する調整情報抽出部と、施設内ネットワークに接続される機器の動作状態に関する情報を、施設内ネットワークを介して取得する状態取得部と、利用者の入力情報を取得する操作取得部と、操作取得部が取得した入力情報もしくは状態取得部が取得した機器の動作状態の少なくともいずれかに基づき、機器ごとの設定項目を抽出する操作構築部と、調整情報抽出部から取得した抑制期間に関する情報に基づき、操作構築部が抽出した機器ごとの設定項目の表示可否を判断する表示制御部と、操作構築部が抽出した設定項目と表示制御部の判断結果に基づき、操作画面情報を生成する画面生成部と、画面生成部が生成した操作画面情報を出力する出力部と、を備えるので、利用者に電力制限下にあることを意識させず、電力制限活動に対して不満を抱かせないようにすることができる。
【００１１】
また、本発明に係る機器制御システムによれば、施設内ネットワークに接続される機器と、機器と通信可能に設けられる制御装置と、を備え、制御装置は、電力使用量を調整する指示を取得し、指示が電力使用量の抑制である場合、指示に含まれる電力使用量の抑制期間を抽出する調整情報抽出部と、施設内ネットワークに接続される機器の動作状態に関する情報を、施設内ネットワークを介して取得する状態取得部と、利用者の入力情報を取得する操作取得部と、操作取得部から取得した入力情報もしくは状態取得部から取得した機器の動作状態の少なくともいずれかに基づき、機器ごとの設定項目を抽出する操作構築部と、調整情報抽出部から取得した抑制期間に関する情報に基づいて、操作構築部が抽出した機器ごとの設定項目の表示可否を判断する表示制御部と、操作構築部が抽出した設定項目と表示制御部の判断結果に基づき、操作画面情報を生成する画面生成部と、画面生成部が生成した操作画面情報を出力する出力部と、を有するので、利用者に電力制限下にあることを意識させず、電力制限活動に対して不満を抱かせないようにすることができる。
【００１２】
また、本発明に係る機器制御方法によれば、電力使用量を調整する指示を取得し、指示が電力使用量の抑制である場合、指示に含まれる電力使用量の抑制期間を抽出する調整情報抽出ステップと、施設内ネットワークに接続される機器の動作状態に関する情報を、施設内ネットワークを介して取得する状態取得ステップと、利用者の入力情報を取得する操作取得ステップと、操作取得ステップで取得した入力情報もしくは状態取得ステップで取得した機器の動作状態の少なくともいずれかに基づき、機器ごとの設定項目を抽出する操作構築ステップと、調整情報抽出ステップで抽出した抑制期間に関する情報に基づいて、操作構築ステップで抽出した機器ごとの設定項目の表示可否を判断する表示制御ステップと、操作構築ステップで抽出した設定項目と表示制御ステップで判断した結果に基づき、操作画面情報を生成する画面生成ステップと、画面生成ステップで生成した操作画面情報を出力する出力ステップと、を有するので、利用者に電力制限下にあることを意識させず、電力制限活動に対して不満を抱かせないようにすることができる。
【００１３】
また、本発明に係るプログラムによれば、コンピュータに、電力使用量を調整する指示を取得し、指示が電力使用量の抑制である場合、指示に含まれる電力使用量の抑制期間を抽出する調整情報抽出ステップ、施設内ネットワークに接続される機器の動作状態に関する情報を、施設内ネットワークを介して取得する状態取得ステップ、利用者の入力情報を取得する操作取得ステップ、操作取得ステップで取得した入力情報もしくは状態取得ステップで取得した機器の動作状態の少なくともいずれかに基づき、機器ごとの設定項目を抽出する操作構築ステップ、調整情報抽出ステップで抽出した抑制期間に関する情報に基づいて、操作構築ステップで抽出した機器ごとの設定項目の表示可否を判断する表示制御ステップ、操作構築ステップで抽出した設定項目と表示制御ステップで判断した結果に基づき、操作画面情報を生成する画面生成ステップ、画面生成ステップで生成した操作画面情報を出力する出力ステップ、を実行させるので、利用者に電力制限下にあることを意識させず、電力制限活動に対して不満を抱かせないようにすることができる。
【図面の簡単な説明】
【００１４】
【図１】実施の形態１に係る機器制御システムの構成例を示す図である。
【図２】実施の形態１に係る制御装置の機能構成図である。
【図３】実施の形態１に係る電力調整指示のデータ構成例を示す図である。
【図４】実施の形態１に係る機器の動作状態に関する情報の一例を示す図である。
【図５】実施の形態１に係る操作端末が表示する操作画面の一例を示す図である。
【図６】実施の形態１に係る操作端末が表示する操作画面の第一の変形例を示す図である。
【図７】実施の形態１に係る操作端末が表示する操作画面の第二の変形例を示す図である。
【図８】実施の形態１に係る表示制御部が電力抑制期間中に表示可と判断する設定項目の一例を示す図である。
【図９】実施の形態１に係る操作端末が電力抑制期間中に表示する操作画面の一例を示す図である。
【図１０】実施の形態１に係る制御装置における操作画面表示処理の一例を示すフローチャートである。
【図１１】実施の形態１の変形例に係る操作端末が電力抑制期間中に表示する操作画面の一例を示す図である。
【図１２】実施の形態１の変形例に係る制御装置における操作画面表示処理の一例を示すフローチャートである。
【図１３】実施の形態２に係る制御装置の機能構成図である。
【図１４】実施の形態２に係る表示制御部が待機状態であるとする機器の動作状態の一例を示す図である。
【図１５】実施の形態２に係る制御装置における操作画面表示処理の一例を示すフローチャートである。
【図１６】実施の形態２に係る操作端末が表示する操作画面の一例を示す図である。
【図１７】実施の形態２に係る操作端末が電力抑制期間中に表示する操作画面の第一の変形例を示す図である。
【図１８】実施の形態２に係る操作端末が電力抑制期間中に表示する操作画面の第二の変形例を示す図である。
【図１９】実施の形態３に係る機器制御システムの構成例を示す図である。
【図２０】実施の形態３に係る施設における電力の流れを示す図である。
【図２１】実施の形態３に係る制御装置の機能構成図である。
【図２２】実施の形態３に係る電力調整指示のデータ構成例を示す図である。
【図２３】実施の形態３に係る空調機の電力使用量の例を示す図である。
【図２４】実施の形態３に係る制御装置における操作画面表示処理の一例を示すフローチャートである。
【図２５】実施の形態３に係る操作端末が表示する操作画面の一例を示す図である。
【図２６】本発明に係る制御装置のハードウェア構成例を示す図である。
【発明を実施するための形態】
【００１５】
以下に、本発明を実施するための形態について図面を参照して詳細に説明する。なお、図中同一または相当する部分には同じ符号を付す。
【００１６】
（実施の形態１）
図１は、本発明の実施の形態１に係る機器制御システムの構成例を示す図である。機器制御システム１０００は、制御装置１００と、サーバ２と、操作端末３と、機器４ａ〜４ｄ（以下、総称する場合は、機器４という）と、商用電源５と分電盤６とで構成される。
【００１７】
制御装置１００、機器４、分電盤５は、施設Ｈに設けられ、制御装置１００は、広域ネットワークＮ２を介して、施設Ｈ外部に設けられるサーバ２と通信可能である。サーバ２は、電力事業者や情報サービス事業者などが運用するコンピュータであり、電力需給状態に応じて、施設Ｈに電力使用量の調整を要請する電力調整情報を発行する。広域ネットワークＮ２は、インターネット網や第３世代、第４世代通信網等などの公衆回線のほか、光ファイバ等を用いた専用回線であってもよい。
【００１８】
施設Ｈには商用電源５から電力が供給され、分電盤６を介して機器４を駆動する。機器４は、空調機、照明装置、給湯機、冷蔵庫、テレビ、ＩＨ調理器、換気扇、床暖房、太陽光発電システム、蓄電システム等の各種家電製品である。機器４は、それぞれ内蔵する通信インターフェース（図示せず）により、施設内ネットワークＮ１に接続される。
【００１９】
本実施の形態では、施設内ネットワークＮ１に空調機４ａ、照明装置４ｂ、給湯機４ｃ、および冷蔵庫４ｄが接続される例を示しているが、機器４の種類、数は、これに限定されるものではない。また、同じ種類の機器４が複数備えられていてもよい。また、機器４が使用される施設Ｈは、一般的な住宅に限らず、店舗や工場などでもよい。
【００２０】
制御装置１００は、施設内ネットワークＮ１を介して、機器４の動作状態を取得するとともに、機器４に動作を指示する。施設内ネットワークＮ１の通信方式は、無線方式、有線方式及びこれらの組み合わせのいずれかである。また、施設内ネットワークＮ１は、インターネット、専用線及びこれらの組み合わせのいずれかである。また、施設内ネットワークＮ１として、ＥＣＨＯＮＥＴ  Ｌｉｔｅ（登録商標）に準じたネットワークを用いてもよい。図１において、太い実線は電力線を示し、細い実線は装置間でやりとりされる通信信号を示している。
【００２１】
操作端末３は、タッチパネルディスプレイを備え、機器４を操作するための画面を表示するとともに、ユーザの操作入力を受け付ける。操作端末３は、制御装置１００と施設内ネットワークＮ１で通信可能に接続され、制御装置１００から画面情報を受信して、操作画面をディスプレイ上に表示する。操作端末３は、例えば、スマートフォン、携帯電話、タブレット端末などの情報端末を用いてもよい。図１では、操作端末３が施設内ネットワークＮ１を介して制御装置１００と通信する例を示しているが、操作端末３が広域ネットワークＮ２に接続し、操作端末３が広域ネットワークＮ２を介して制御装置１００と通信する構成であってもよい。また、上記以外に施設内ネットワークＮ１および広域ネットワークＮ２とは異なるネットワークで制御装置１００と操作端末３とが通信する構成であってもよいし、制御装置１００と操作端末３とが専用線を用いて直接接続する構成であってもよい。なお、機器制御システム１０００は、操作端末３を備えるかわりに、制御装置１００がタッチパネルディスプレイを有し、制御装置１００から機器４の制御操作が可能な構成であってもよい。
【００２２】
図２は、実施の形態１に係る制御装置１００の機能構成図である。制御装置１００は、調整情報抽出部１０１、状態取得部１０２、操作取得部１０３、機器指令部１０４、操作構築部１０５、表示制御部１０６、画面生成部１０７、および出力部１０８を備える。
【００２３】
調整情報抽出部１０１は、広域ネットワークＮ２を介して、サーバ２が発行する電力調整指示を取得する。図３は、実施の形態１に係るサーバ２が送信する電力調整指示のデータ構成例を示す図である。電力調整指示２０は、例えば、調整対象施設２０１、調整種別２０２、調整開始時期２０３、調整終了時期２０４とで構成される。調整対象施設２０１は、電力調整対象の施設Ｈに設けられる制御装置１００を特定する識別情報であり、予めサーバ２に記憶されている。制御装置１００を特定する識別情報は、例えばＭＡＣアドレスやＩＰアドレスなどで表現される。調整対象施設２０１は、単独の施設を特定する必要はなく、例えば、ブロードキャストアドレスを用いて、サーバ２が広域ネットワークＮ２に接続される２以上の制御装置１００に電力調整を要請してもよい。調整種別２０２は、電力調整が電力使用量を減らす要請であるか増やす要請であるかを示す。
【００２４】
調整開始時期２０３、調整終了時期２０４は、電力調整期間を表す日時情報である。電力調整期間は、連続した一つの期間に限らず、複数の期間が指定される構成であってもよい。また、サーバ２が毎日一定の時間帯に電力調整を要請する場合、日時情報のかわりに、調整開始時期２０３、調整終了時期２０４を時刻情報で表してもよい。調整情報抽出部１０１は、調整種別２０２が電力使用量を減らす電力抑制要請である場合、電力抑制期間を抽出する。
【００２５】
図２に戻り、状態取得部１０２は、施設内ネットワークＮ１に接続される機器４の動作状態に関する情報を取得する。図４は、実施の形態１に係る制御装置１００の状態取得部１０２が取得する機器４の動作状態に関する情報の一例を示す図である。状態取得部１０２が取得する機器４の動作状態は、運転モードと、運転モードに関する数値または段階を表す運転レベルとを含む。運転モードと運転レベルの取得値は、機器４に応じて異なる。例えば、空調機４ａの運転モードＭ４２１ａの取得値を暖房、冷房、停止のいずれかとし、運転レベルＭ４２２ａの取得値を、運転モードＭ４２１ａが暖房または冷房であるときの設定温度とする。例えば、照明装置４ｂの運転モードＭ４２１ｂの取得値を点灯、消灯のいずれかとし、運転レベルＭ４２２ｂの取得値を、運転モードＭ４２１ｂが点灯であるときの明るさとする。例えば、給湯機４ｃの運転モードＭ４２１ｃの取得値を沸上げ、保温、停止のいずれかとし、運転レベルＭ４２２ｃの取得値を、運転モードＭ４２１ｃが沸上げであるときの湯量とする。また例えば、冷蔵庫４ｄの運転モードＭ４２１ｄの取得値を冷却、停止のいずれかとし、運転レベルＭ４２２ｄの取得値を、運転モードＭ４２１ｄが冷却であるときの冷蔵温度と冷凍温度とする。なお、機器４の運転モードＭ４２１ａ〜Ｍ４２１ｄ（以下、総称する場合は、運転モードＭ４２１という）と運転レベルＭ４２２ａ〜Ｍ４２２ｄ（以下、総称する場合は、運転レベルＭ４２２という）の取得値は、一例であり、機器４に応じていればよく、これらに限定されない。
【００２６】
図２に戻り、操作取得部１０３は、操作端末３のタッチパネルディスプレイ上でなされた操作情報を、施設内ネットワークＮ１を介して取得する。機器指令部１０４は、操作取得部１０３が取得した利用者の入力情報のうち、機器４の動作状態を変更する入力情報にもとづいて、制御対象の機器４への指令を生成し、施設内ネットワークＮ１を介して送信する。
【００２７】
操作構築部１０５は、操作取得部１０３が取得した利用者の入力情報と、状態取得部１０２が取得した機器４の動作状態にもとづいて、機器４ごとの設定項目を抽出する。設定項目は、文字および図形等からなる表示情報により構成される。表示情報とは、例えば、画面上におけるウィンドウ、ボタン、アイコンなどのオブジェクトの表示サイズ、表示位置、表示色、表示形状等のデータを含む。また、表示情報は、上記以外に例えば、画面を構成する画素ごとの色や明暗を示す値を画面に出力される順に並べたデータを含んでいてもよい。
【００２８】
表示制御部１０６は、調整情報抽出部１０１が抽出した電力抑制期間において、操作構築部１０５が抽出した機器４の設定項目の表示可否を判断する。画面生成部１０７は、操作構築部１０５が抽出した設定項目のうち、表示制御部１０６が表示すると判断した設定項目に基づき操作画面情報を生成する。出力部１０８は、画面生成部１０７が生成した操作画面情報を施設内ネットワークＮ１に出力する。出力部１０８が出力した操作画面情報は、操作端末３に送信され、操作端末３は、操作画面情報に基づいて操作画面を表示する。
【００２９】
図５は、実施の形態１に係る操作端末３が表示する操作画面の一例を示す図である。操作画面３００は、施設内ネットワークＮ１に接続される空調機４ａ、照明装置４ｂ、給湯機４ｃ、冷蔵庫４ｄをそれぞれ操作するための空調機操作領域４０ａ、照明装置操作領域４０ｂ、給湯機操作領域４０ｃ、冷蔵庫操作領域４０ｄ（以下、総称する場合は、操作領域４０という）を備える。各操作領域４０を構成する設定項目は、それぞれ操作構築部１０５によって抽出される。各操作領域４０は、操作対象の機器４を識別するための機器識別領域４１ａ〜４１ｄ（以下、総称する場合は、機器識別領域４１という）と、運転モードおよび運転レベルの変更や確認を行うための機器制御領域４２ａ〜４２ｄ（以下、総称する場合は、機器制御領域４２という）とで構成される。
【００３０】
機器制御領域４２は、運転モードを設定する運転モード設定領域４２１ａ〜４２１ｄ（以下、総称する場合は、運転モード設定領域４２１という）と、設定中の運転モードに関する数値または段階を設定する運転レベル設定領域４２２ａ〜４２２ｄ（以下、総称する場合は、運転レベル設定領域４２２という）とを含む。運転モード設定領域４２１は、例えば、図４で説明した運転モードＭ４２１の取得値のいずれかを選択するボタンを含む。例えば、空調機４ａの運転モード設定領域４２１ａは、冷房ボタン４２１１ａと、暖房ボタン４２１２ａと、停止ボタン４２１３ａとを含む。例えば、操作構築部１０５は、ボタン４２１１ａ〜４２１３ａのうち、設定中の運転モードに対応するボタンの表示情報を、それ以外のボタンとは異なる色や大きさで表示するようにしてもよい。また、設定中の運転モードに対応するボタンに表示される文字を大きく表示してもよい。なお、図５では、運転モードが冷房に設定されている例を示しており、冷房ボタン４２１１ａを暖房ボタン４２１２ａと停止ボタン４２１３ａより大きく表示し、「冷房」の文字を大きく表示している。
【００３１】
運転レベル設定領域４２２は、図４で説明した運転レベルＭ４２２を設定するため、例えば、スライドバーとカーソルを含む。例えば、空調機４ａの運転レベル設定領域４２２ａは、設定温度の範囲を示すスライドバー４２２１ａと、スライドバー４２２１ａ上を左右にスライド可能なカーソル４２２２ａとを含む。カーソル４２２２ａは、図５に示すようにスライドバー４２２１ａにおけるカーソル４２２２ａの位置に対応した温度が表示される表示窓を備えていてもよい。
【００３２】
図５では、操作領域４０が機器識別領域４１と、機器制御領域４２とで構成される例を示しているが、これに限らず、操作領域が機器制御領域４２を個別に表示させるためのボタンを備える構成であってもよい。
【００３３】
図６は、実施の形態１に係る操作端末３が表示する操作画面３００の第一の変形例を示す図である。図６（ａ）において、操作領域４３ａ〜４３ｄ（以下、総称する場合は、操作領域４３という）は、それぞれ機器識別領域４１ａ〜４１ｄと、操作ボタン４４ａ〜４４ｄ（以下、総称する場合は、操作ボタン４４という）とで構成される。各操作領域４３を構成する設定項目は、操作構築部１０５によって抽出される。操作取得部１０３が操作ボタン４４ａ〜４４ｄのいずれかの操作入力情報を取得すると、操作構築部１０５は、操作が入力された操作ボタン４４に対応する機器制御画面を構成する表示情報を構築する。
【００３４】
図６（ｂ）は、図６（ａ）において、操作ボタン４４ａ〜４４ｄのうち、操作ボタン４４ａの操作が入力された場合の操作画面３００の一例を示す図である。操作構築部１０５は、空調機４ａの機器制御領域４２ａを含む操作領域４５ａを構成する設定項目を抽出する。操作領域４５ａには、機器制御領域４２ａに加えて、戻りボタン４５１ａが配置される。操作取得部１０３が戻りボタン４５１ａの操作入力を取得すると、操作構築部１０５は、操作領域４５ａの替わりに、操作領域４３ａ〜４３ｄを構成する設定項目を抽出する。画面生成部１０７は、操作領域４３ａ〜４３ｄの操作画面情報を生成し、出力部１０８が出力する。これを受けて操作端末３は、空調機４ａの操作領域４５ａの表示を終了して、図６（ａ）に示す操作領域４３ａ〜４３ｄを再び表示する。
【００３５】
操作構築部１０５は、操作取得部１０３が操作ボタン４４ｂ〜４４ｄのいずれかの操作入力を取得した場合もそれぞれ同様に、照明装置４ｂの操作領域４５ｂ、給湯機４ｃの操作領域４５ｃ、冷蔵庫４ｄの操作領域４５ｄ（以下、操作領域４５ａ〜４５ｄを総称する場合は、操作領域４５という）を構成する設定項目を抽出する。操作領域４５は、図６（ｂ）に示すように、操作領域４３ａ〜４３ｄをグレイ表示させた上に重ねて表示してもよいし、操作画面３００上に操作領域４５のみを表示してもよい。機器識別領域４１と、機器制御領域４２とを異なる操作画面３００に表示させることにより、一度に表示する情報を少なくできるので、操作端末３が備えるタッチパネルディスプレイが小さい場合であっても、視認しやすくなる。
【００３６】
なお、操作領域４３ａ〜４３ｄがそれぞれ機器識別領域４１ａ〜４１ｄのみで構成されてもよい。図７は、実施の形態１に係る操作端末３が表示する操作画面３００の第二の変形例を示す図である。図７（ａ）において、操作領域４６ａ〜４６ｄ（以下、総称する場合は、操作領域４６という）は、それぞれ機器識別領域４０１ａ〜４０１ｄのみで構成され、それぞれ空調機４ａ、照明装置４ｂ、給湯機４ｃ、冷蔵庫４ｄを表す機器アイコンとして機能する。操作取得部１０３が操作領域４６ａ〜４６ｄのいずれかを選択する操作入力を取得すると、操作構築部１０５は、選択された操作領域４６に対応する機器４の設定項目を抽出する。
【００３７】
図７（ｂ）は、図７（ａ）において、操作領域４６ａが選択された場合の操作画面３００の一例を示す図である。操作構築部１０５は、空調機４ａの機器制御領域４２ａを含む操作領域４５ａを構成する設定項目を抽出する。操作領域４６を機器識別領域４１のみで構成することにより、一度に表示する情報を少なくできるので、操作端末３が備えるタッチパネルディスプレイが小さい場合であっても、視認しやすくなる。
【００３８】
図８は、調整情報抽出部１０１が抽出した電力抑制期間中に表示制御部１０６が表示可と判断する設定項目の一例を示す図である。表示制御部１０６は、電力抑制期間において、設定項目の運転レベル設定のうち、電力使用量が多い設定を表示対象外とする。例えば、表示制御部１０６は、電力抑制期間において、空調機４ａの運転モードＭ４２１ａが冷房に設定されていれば、運転レベルＭ４２２ａを２３〜３０℃のいずれかとし、運転モードＭ４２１ａが暖房に設定されていれば、運転レベルＭ４２２ａを１６〜２３℃のいずれかとする。同様に、照明装置４ｂの運転モードＭ４２１ｂが点灯に設定されていれば、運転レベルＭ４２２ｂを中、暗のいずれかとし、給湯機４ｃの運転モードＭ４２１ｃが沸上げに設定されていれば、運転レベルＭ４２２ｃを多め、おまかせのいずれかとし、冷蔵庫４ｄの運転モードＭ４２１ｄが冷却に設定されていれば、運転レベルＭ４２２ｄを中、弱のいずれかとする。
【００３９】
図９は、操作端末３が電力抑制期間中に表示する操作画面３００の一例を示す図である。図９において、運転レベル設定領域４２２の設定範囲は、図５に対して狭くなる。
【００４０】
次に実施の形態１に係る制御装置１００が行う操作画面表示処理について、図１０を参照して説明する。
【００４１】
図１０は、実施の形態１に係る制御装置１００における操作画面表示処理の一例を示すフローチャートである。制御装置１００の制御プログラムは、制御装置１００の電源を入れると起動し、操作画面表示処理を開始する（Ｓ１００）。なお、操作画面表示処理は、以後制御装置１００の電源が切られるまで、予め定められた時間ごとに実行する。
【００４２】
操作画面表示処理を開始すると、操作取得部１０３は、施設内ネットワークＮ１を介して操作端末３のタッチパネルディスプレイ上でなされた操作入力情報の取得を実施する（ステップＳ１０１）。操作入力情報を取得できた場合（ステップＳ１０１：Ｙｅｓ）は、操作取得部１０３は、操作入力情報が機器４の動作状態を変更する操作であるか判断する（ステップＳ１０２）。操作入力情報が機器４の動作状態を変更する操作である場合（ステップＳ１０２：Ｙｅｓ）、機器司令部１０４は、操作入力情報に基づいて制御対象の機器４への指令を生成し、施設内ネットワークＮ１を介して機器４に送信する（ステップＳ１０３）。機器４へ指令を送信した後、状態取得部１０２は、図４で説明した機器４の動作状態に関する情報を取得する（ステップＳ１０４）。
【００４３】
一方、ステップＳ１０１において、操作入力情報を取得できなかった場合（ステップＳ１０１：Ｎｏ）やステップＳ１０１において取得した操作情報が機器４の動作状態を変更する操作でない場合（ステップＳ１０２：Ｎｏ）も、同様にステップＳ１０４に進み、機器４の動作状態に関する情報を取得する。このとき操作構築部１０５は、操作取得部１０３が取得した操作入力情報が操作画面を遷移する操作であると判別する。
【００４４】
ステップＳ１０４にて機器４の動作状態に関する情報を取得した後、操作構築部１０５は、操作取得部１０３がステップＳ１０１で取得した入力情報もしくは状態取得部１０２がステップＳ１０４で取得した機器４の動作状態の少なくともいずれかに基づいて、機器４ごとの設定項目を抽出する（ステップＳ１０５）。
【００４５】
ステップＳ１０５の後、調整情報抽出部１０１は、サーバ２から送信される電力調整指示２０を取得しているか判断する（ステップＳ１０６）。電力調整指示２０を取得している場合（ステップＳ１０６：Ｙｅｓ）、調整情報抽出部１０１は、取得した電力調整指示２０の調整指示２０２が電力使用量を減らす電力抑制要請であって、且つその期間が電力抑制期間に該当しているか判断する（ステップＳ１０７）。電力抑制要請の期間が電力抑制期間に該当していれば（ステップＳ１０７：Ｙｅｓ）、ステップＳ１０９に進む。一方、ステップＳ１０６において電力調整指示２０を取得していない場合（ステップＳ１０６：Ｎｏ）や、ステップＳ１０７において電力抑制要請の期間が電力抑制期間に該当していない場合（ステップＳ１０７：Ｎｏ）は、ステップＳ１０８に進む。
【００４６】
ステップＳ１０８において、表示制御部１０６は、操作構築部１０５がステップＳ１０６において抽出した機器４ごとの設定項目の全てを操作端末３に表示するよう判断する。ステップＳ１０８に続いて、ステップＳ１１０において、画面生成部１０７は、表示制御部１０６がステップＳ１０８で判断した結果に基づき、操作画面情報を生成する。ステップＳ１１０に続いて、ステップＳ１１１において、出力部１０８は、画面生成部１０７がステップＳ１１０で生成した操作画面情報を、施設内ネットワークＮ１を介して操作端末３に送信する。操作端末３は、ステップＳ１１１において出力部１０８が送信した操作画面情報にもとづいて、操作画面をディスプレイに表示する。図５、図６（ｂ）および図７（ｂ）は、表示制御部１０６がステップS１０８において、機器４ごとの設定項目の全てを表示すると判断したときの操作画面３００の例を示す図でもある。
【００４７】
ステップＳ１０９に戻り、表示制御部１０６は、操作構築部１０５がステップＳ１０５で抽出した機器４ごとの設定項目のうち、機器４の運転モード設定と、一部の運転レベル設定のみを表示するよう判断する。ステップＳ１０９に続いて、画面生成部１０７は、ステップＳ１１０において、表示制御部１０６がステップＳ１０９で表示するよう判断した設定項目に基づき操作画面情報を生成する。図９は、表示制御部１０６がステップS１０９において、機器４の運転モード設定と、一部の運転レベル設定のみを表示するよう判断したときの操作画面３００の例を示す図でもある。
【００４８】
以上で説明したように、実施の形態１に係る制御装置１００によれば、電力使用量を調整する指示を取得し、指示が電力使用量の抑制である場合、指示に含まれる電力使用量の抑制期間を抽出する調整情報抽出部１０１と、施設内ネットワークに接続される機器の動作状態に関する情報を、施設内ネットワークを介して取得する状態取得部１０２と、利用者の入力情報を取得する操作取得部１０３と、操作取得部１０３が取得した入力情報もしくは状態取得部１０２が取得した機器の動作状態の少なくともいずれかに基づき、機器ごとの設定項目を抽出する操作構築部１０５と、調整情報抽出部１０１が抽出する抑制期間に関する情報に基づいて、操作構築部１０５が抽出した機器ごとの設定項目の表示可否を判断する表示制御部１０６と、操作構築部１０５が抽出した設定項目と表示制御部１０６の判断結果に基づき、操作画面情報を生成する画面生成部１０７と、画面生成部１０７が生成した操作画面情報を出力する出力部１０８と、を備えるので、利用者に電力制限下にあることを意識させず、電力制限活動に対して不満を抱かせないようにすることができる。
【００４９】
また、実施の形態１に係る制御装置１００によれば、操作構築部１０５が抽出する設定項目は、機器の運転モードを設定する運転モード設定と、設定中の運転モードに関する数値または段階を設定する運転レベル設定とを含み、表示制御部１０６は、調整情報抽出部１０１が抽出した抑制期間において、機器の運転モード設定と、一部の運転レベル設定のみを表示するよう判断するので、機器４の操作を、一部を除いて可能とすることで利用者に電力制限下にあることを意識させず、電力制限活動に対して不満を抱かせないようにすることができる。
【００５０】
また、実施の形態１に係る機器制御システム１０００によれば、施設内ネットワークに接続される機器と、機器と通信可能に設けられる制御装置１００と、を備え、制御装置１００は、電力使用量を調整する指示を取得し、指示が電力使用量の抑制である場合、指示に含まれる電力使用量の抑制期間を抽出する調整情報抽出部１０１と、施設内ネットワークに接続される機器の動作状態に関する情報を、施設内ネットワークを介して取得する状態取得部１０２と、利用者の入力情報を取得する操作取得部１０３と、操作取得部１０３が取得した入力情報もしくは状態取得部１０２が取得した機器の動作状態の少なくともいずれかに基づき、機器ごとの設定項目を抽出する操作構築部１０５と、調整情報抽出部１０１が抽出する抑制期間に関する情報に基づいて、操作構築部１０５が抽出した機器ごとの設定項目の表示可否を判断する表示制御部１０６と、操作構築部１０５が抽出した設定項目と表示制御部１０６の判断結果に基づき、操作画面情報を生成する画面生成部１０７と、画面生成部１０７が生成した操作画面情報を出力する出力部１０８と、を有するので、利用者に電力制限下にあることを意識させず、電力制限活動に対して不満を抱かせないようにすることができる。
【００５１】
また、実施の形態１に係る機器制御方法によれば、電力使用量を調整する指示を取得し、指示が電力使用量の抑制である場合、指示に含まれる電力使用量の抑制期間を抽出する調整情報抽出ステップと、施設内ネットワークに接続される機器の動作状態に関する情報を、施設内ネットワークを介して取得する状態取得ステップと、利用者の入力情報を取得する操作取得ステップと、操作取得ステップで取得した入力情報もしくは状態取得ステップで取得した機器の動作状態の少なくともいずれかに基づき、機器ごとの設定項目を抽出する操作構築ステップと、調整情報抽出ステップで抽出した抑制期間に関する情報に基づいて、操作構築ステップで抽出した機器ごとの設定項目の表示可否を判断する表示制御ステップと、操作構築ステップで抽出した設定項目と表示制御ステップで判断した結果に基づき、操作画面情報を生成する画面生成ステップと、画面生成ステップで生成した操作画面情報を出力する出力ステップと、を有するので、利用者に電力制限下にあることを意識させず、電力制限活動に対して不満を抱かせないようにすることができる。
【００５２】
また、本発明に係るプログラムによれば、コンピュータに、電力使用量を調整する指示を取得し、指示が電力使用量の抑制である場合、指示に含まれる電力使用量の抑制期間を抽出する調整情報抽出ステップ、施設内ネットワークに接続される機器の動作状態に関する情報を、施設内ネットワークを介して取得する状態取得ステップ、利用者の入力情報を取得する操作取得ステップ、操作取得ステップで取得した入力情報もしくは状態取得ステップで取得した機器の動作状態の少なくともいずれかに基づき、機器ごとの設定項目を抽出する操作構築ステップ、調整情報抽出ステップで抽出した抑制期間に関する情報に基づいて、操作構築ステップで抽出した機器ごとの設定項目の表示可否を判断する表示制御ステップ、操作構築ステップで抽出した設定項目と表示制御ステップで判断した結果に基づき、操作画面情報を生成する画面生成ステップ、画面生成ステップで生成した操作画面情報を出力する出力ステップ、を実行させるので、利用者に電力制限下にあることを意識させず、電力制限活動に対して不満を抱かせないようにすることができる。
【００５３】
（実施の形態１の変形例）
上述の実施の形態１では、表示制御部１０６が、電力抑制期間中は、機器４の運転モード設定と、一部の運転レベル設定のみを表示するよう判断していた。実施の形態１で説明した機器制御システム１０００において、機器４の運転モード設定のみを表示するようにしてもよい。このように構成される実施の形態１の変形例について以下に説明する。
【００５４】
実施の形態１の変形例に係る機器制御システム１１００は、実施の形態１の機器制御システム１０００の制御装置１００が制御装置１１０に置き換わる以外は、機器制御システム１０００と同じであり、図を省略する。実施の形態１の変形例に係る制御装置１１０は、実施の形態１の制御装置１００の表示制御部１０６が表示制御部１１６に置き換わる以外は、制御装置１００と同じであり、図を省略する。
【００５５】
表示制御部１１６は、電力抑制期間中に、図５に示した操作画面３００において、機器４の運転モード設定のみを表示するよう判断する。表示制御部１１６がこのように動作した場合に端末装置３が表示する操作画面３００の例を図１１に示す。
【００５６】
図１１は、実施の形態１の変形例に係る操作端末３が電力抑制期間中に表示する操作画面３００の一例を示す図である。図１１に示す操作画面３００において、運転モード設定領域４２１が表示されることによって、利用者は機器４の運転モードの変更が可能であり、特段の不便を生じさせることがない。
【００５７】
次に実施の形態１の変形例に係る制御装置１１０が行う操作画面表示処理について、図１２を参照して説明する。図１２は、実施の形態１の変形例に係る制御装置１１０における操作画面表示処理の一例を示すフローチャートである。図１２において、ステップＳ１０９がステップＳ１１２に置き換わる以外は、図１０で説明した制御装置１００が行う操作画面表示処理と同じである。表示制御部１１６は、ステップＳ１１２において、操作構築部１０５がステップＳ１０５で抽出した機器４ごとの設定項目の運転モード設定のみを表示するよう判断する。
【００５８】
以上で説明したように、実施の形態１の変形例に係る制御装置１１０によれば、表示制御部１１６は、調整情報抽出部１０１が抽出する電力使用量の抑制期間において、機器の運転モード設定のみを表示するよう判断するので、機器４の運転モードの変更を可能にすることで利用者に特段の不便を生じさせず、電力制限活動に対して不満を抱かせないようにすることができる。
【００５９】
（実施の形態２）
上述の実施の形態１では、電力抑制期間中は、機器４の設定項目の一部を表示するよう判断していた。実施の形態２に示す機器制御システム２０００は、施設内ネットワークＮ１に接続される機器４のうち、待機状態でない機器４の設定項目を表示するよう判断とする。このように構成される実施の形態２に示す機器制御システムについて以下に説明する。
【００６０】
実施の形態２に係る機器制御システム２０００は、実施の形態１の機器制御システム１０００の制御装置１００が制御装置１２０に置き換わる以外は、機器制御システム１０００と同じであり、図を省略する。
【００６１】
図１３は、実施の形態２に係る制御装置１２０の機能構成図である。実施の形態２に係る制御装置１２０は、実施の形態１の制御装置１００の表示制御部１０６が表示制御部１２６に置き換わるとともに、状態取得部１０２の出力が表示制御部１２６に入力される点以外は、制御装置１００と同じである。表示制御部１２６は、施設内ネットワークＮ１に接続される機器４のうち、状態取得部１０２が取得する動作状態に関する情報から、待機状態でない機器４の設定項目を表示するよう判断する。
【００６２】
図１４は、実施の形態２に係る制御装置１２０の表示制御部１２６が待機状態であるとする機器４の動作状態の一例を示す図である。表示制御部１２６が待機状態であると判断する機器４の動作状態は、機器４によって異なる。例えば、状態取得部１０２が取得する空調機４ａの運転モードＭ４２１ａが停止であれば、表示制御部１２６は、空調機４ａが待機状態である判断する。また、例えば、照明装置４ｂの運転モードＭ４２１ｂが消灯であれば、表示制御部１２６は、照明装置４ｂが待機状態であると判断し、給湯機４ｃの運転モードＭ４２１ｃが停止であれば、給湯機４ｃが待機状態であると判断する。
【００６３】
表示制御部１２６が待機状態とする機器４の動作状態は１つに限らない。また、運転モードＭ４２１が停止となる機会が少ない機器４については、停止以外の運転モードＭ４２１を待機状態としてもよい。例えば、表示制御部１２６は、冷蔵庫４ｄの運転モードＭ４２１ｄが停止であれば、冷蔵庫４ｄが待機状態であるとする。これ以外に、表示制御部１２６は、冷蔵庫４ｄの運転モードＭ４２１ｄが冷却であって、運転レベルＭ４２２が弱である場合も冷蔵庫４ｄが待機状態であると判断する。
【００６４】
次に実施の形態２に係る制御装置１２０が行う操作画面表示処理について、図１５を参照して説明する。図１５は、実施の形態２に係る制御装置１２０における操作画面表示処理の一例を示すフローチャートである。図１５において、ステップＳ１０１からステップＳ１１１までの各処理は、図１０で説明したのと同じである。
【００６５】
ステップＳ１０７において、調整情報抽出部１０１は、取得した電力調整指示２０から電力抑制期間中であれば、ステップＳ１２１に進み、そうでなければ、ステップＳ１０８に進む。表示制御部１２６は、ステップＳ１２１において、状態取得部１０２がステップＳ１０４において取得した機器４の動作状態に関する情報から、待機状態である機器４があるか判断する。ステップＳ１２１において、待機状態である機器４がなければ、表示制御部１２６は、ステップＳ１０８に進み、操作構築部１０５がステップＳ１０５において抽出した機器４ごとの設定項目の全てを操作端末３に表示するよう判断とする。
【００６６】
一方、ステップＳ１２１において、待機状態である機器４がある場合、表示制御部１２６は、ステップＳ１２２に進み、待機状態でない機器４の設定項目を表示するよう判断する。ステップＳ１２２に続いて、ステップＳ１１０において、画面生成部１０７は、表示制御部１２６がステップＳ１２２で表示すると判断した機器４の操作画面情報を生成する。
【００６７】
図１６〜図１８は、実施の形態２に係る操作端末３が電力抑制期間中に表示する操作画面３００の例を示す図である。図１６、図１７、図１８は、図５、図６（ａ）、図７（ａ）のそれぞれに対する電力抑制期間における操作画面３００の表示例であり、いずれも状態取得部１０２が取得する空調機４ａの運転モードＭ４２１ａが停止である時の操作画面３００の表示例を示している。図１６〜図１８において、操作画面３００に表示される部分を実線で表し、操作画面３００に表示されない部分を点線で表している。
【００６８】
以上で説明したように、実施の形態２に係る制御装置１２０によれば、表示制御部１２６が、調整情報抽出部１０１が抽出した抑制期間において、状態取得部１０２が取得する機器の動作状態に関する情報から、待機状態でない機器の設定項目を表示するよう判断するので、稼動中の機器４が操作可能とすることで利用者に直近の不便を生じさせず、電力制限活動に対して不満を抱かせないようにすることができる。また、待機中の機器４の待機状態を解除することによる電力使用量の増加を抑えることができる。
【００６９】
（実施の形態３）
上述の実施の形態１では、電力抑制期間中は、機器４の設定項目の一部を表示するよう判断していた。実施の形態３に示す機器制御システム３０００は、機器４が別の動作状態に遷移したときの電力使用量を見積り、遷移後の電力使用量が施設Ｈの電力許容値以下となる設定項目を表示するよう判断する。このように構成される実施の形態３に示す制御システムについて以下に説明する。
【００７０】
図１９は、本発明の実施の形態３に係る機器制御システム３０００の構成例を示す図である。本発明の実施の形態３に係る機器制御システム３０００は、電力測定装置７が分電盤６と施設内ネットワークＮ１に接続される点で実施の形態１および実施の形態２に係る機器制御システム１０００，１１００，２０００と異なる以外は、実施の形態１および実施の形態２と同じである。電力測定装置７は、分電盤６が機器４に供給する電力を計測する。
【００７１】
図２０は、施設Ｈにおける電力の流れを示す図である。商用電源５から供給される商用電力は、分電盤６の主幹６１に接続される。主幹６１は、分電盤６の分岐幹６２ａ、６２ｂ、６２ｃおよび６２ｄ（以下、総称する場合は、分岐幹６２という）に繋がっている。分岐幹６２には、図示しない電源コンセントが接続され、機器４に電力が供給される。分岐幹６２と機器４との対応は、図２０に示した例に限らず、１つの分岐幹６２から２以上の機器４に電力が供給される構成であってもよい。電流センサ６３は、主幹６１に流れる交流電流を検出する。電流センサ６３に接続される信号線は、電力測定装置７に接続され、商用電源５から供給される電力量が電力測定装置７で計測される。
【００７２】
図１９に戻り、電力測定装置７は、施設内ネットワークＮ１を経由して、計測した電力量を施設Ｈの電力使用量として制御装置１３０に送信する。
【００７３】
図２１は、実施の形態３に係る制御装置１３０の機能構成図である。制御装置１３０は、電力情報取得部１３９を備え、調整情報抽出部１０１および表示制御部１２６がそれぞれ調整情報抽出部１３１および表示制御部１３６に置き換わる点以外は、実施の形態２に係る制御装置１２０と同じである。調整情報抽出部１３１は、調整情報抽出部１０１が取得する電力調整指示２０のかわりに、電力調整指示２３を取得する。
【００７４】
図２２は、調整情報抽出部１３１が取得する電力調整指示２３のデータ構成例を示す図である。電力調整指示２３は、電力使用量を減らす要請であるか増やす要請であるかを示す調整種別２０２のかわりに、施設Ｈにおいて使用可能な電力許容値２３５を含む。電力許容値２３５は、施設Ｈに予め設定される固定値でもよいし、調整開始時期２０３および調整終了時期２０４が指定する電力調整対象期間によって変化する値であってもよい。
【００７５】
なお、電力調整指示２３は、サーバ２が発行する電力調整の要請以外に、調整情報抽出部１３１が、施設Ｈが契約する電気料金プランにもとづく調整情報を生成する構成であってもよい。例えば、電力使用量が１０ｋＷ（キロワット）以下では基本料金が一律であって、１０ｋＷを超えると１ｋＷごとに基本料金が割増となる形態で、施設Ｈが電力事業者と契約しているとする。この場合、調整情報抽出部１３１は、電力事業者が運用するサーバ２から施設Ｈが契約している電気料金プラン情報を取得して、調整開始時期２０３および調整終了時期２０４が指定する電力調整対象期間を通年、電力許容値２３５を１０ｋＷとする電力調整指示２３を生成する。
【００７６】
また、例えば、夏季のピーク時間の電力料金をそれ以外の時間帯よりも割高とする形態で、施設Ｈが電力事業者と契約しているとする。ここで、夏季のピーク時間を例えば、毎年７月１日から９月３０日までの平日１３時から１６時までの時間とする。この場合、調整情報抽出部１３１は、調整開始時期２０３および調整終了時期２０４が指定する電力調整対象期間を７月１日から９月３０日までの平日１３時から１６時までとし、電力許容値２３５を５ｋＷとする電力調整指示２３を生成する。
【００７７】
図２１に戻り、電力情報取得部１３９は、電力測定装置７が計測した施設Ｈの電力使用量を、施設内ネットワークＮ１を介して取得する。表示制御部１３６は、各機器４の動作状態ごとの電力使用量に基づき、現在の動作状態における電力使用量と、現在の動作状態から別の動作状態に遷移した後の電力使用量の差分を算出する。機器４の動作状態における電力使用量は、運転モードまたは運転レベルに応じて予め定められているものとする。
【００７８】
図２３は、空調機４ａの電力使用量の例を示す図である。図２３において、例えば、空調機４ａの運転モードＭ４２１ａが冷房に設定されている場合、運転レベルＭ４２２ａが２８℃から２４℃に遷移することにより、電力使用量が９００Ｗから１，４００Ｗへと、５００Ｗ増加する。表示制御部１３６は、機器４が現在の動作状態から別の動作状態に遷移することにより変化する電力使用量を電力変化量として算出する。図２３は、空調機４ａの動作状態における電力使用量について説明したが、他の機器４も同様にして、現在の動作状態から別の動作状態に遷移した場合の電力変化量を算出することができる。
【００７９】
表示制御部１３６は、算出した電力変化量と、電力情報取得部１３９が取得する施設Ｈの電力使用量とから、機器４が現在の動作状態から別の動作状態に遷移した場合の施設Ｈにおける電力使用量を見積る。表示制御部１３６は、見積った電力使用量が、調整情報抽出部１３１が取得した施設Ｈにおける電力使用量の許容値以下であれば、機器４を当該別の動作状態に遷移させるための設定項目を表示するよう判断する。
【００８０】
次に実施の形態３に係る制御装置１３０が行う操作画面表示処理について、図２４を参照して説明する。図２４は、実施の形態３に係る制御装置１３０における操作画面表示処理の一例を示すフローチャートである。図２４において、ステップＳ１０１からステップＳ１１１までの各処理は、図１０で説明したのと同じである。
【００８１】
ステップＳ１０７において、調整情報抽出部１３１は、取得した電力調整指示２３に含まれる電力調整対象期間に該当していれば、ステップＳ１３１に進み、そうでなければ、ステップＳ１０８に進む。ステップＳ１３１において、調整情報抽出部１３１は、施設Ｈにおける電力許容値２３５を抽出する。
【００８２】
ステップＳ１３１に続いて、ステップＳ１３２において、電力情報取得部１３９は、電力測定装置７が計測した施設Ｈの電力使用量を、施設内ネットワークＮ１を介して取得する。ステップＳ１３２に続いて、ステップＳ１３３において、表示制御部１３６は、各機器４の動作状態に応じた電力使用量に基づき、状態取得部１０２がステップＳ１０４で取得した各機器４の現在の動作状態から別の動作状態に遷移したときの電力変化量を算出する。続いて、表示制御部１３６は、算出した電力変化量と、電力情報取得部１３９がステップＳ１３２で取得した施設Ｈの電力使用量とから、各機器４が別の動作状態に遷移した場合の施設Ｈにおける電力使用量を見積る。ステップＳ１３３に続いて、ステップＳ１３４において、表示制御部１３６は、ステップＳ１３３で見積った電力使用量がいずれも施設Ｈにおける電力許容値２３５以下であれば、ステップＳ１０８に進み、全ての設定項目を表示するよう判断する。
【００８３】
一方、ステップＳ１３４において、ステップＳ１３３で見積った電力使用量のうち電力許容値２３５を超える遷移がある場合は、表示制御部１３６は、ステップＳ１３５に進む。ステップＳ１３５において、表示制御部１３６は、見積った電力使用量が電力許容値２３５以下となる動作状態に遷移させるための設定項目を表示するよう判断する。ステップＳ１３５に続いて、ステップＳ１１０において、画面生成部１０７は、表示制御部１３６がステップＳ１３５で表示するよう判断した設定項目に基づいて、操作画面情報を生成する。
【００８４】
図２５は、実施の形態３に係る操作端末３が表示する操作画面３００の一例を示す図である。図２５は、空調機４ａの操作領域４５ａの表示例であり、図２５（ａ）は、電力抑制期間でないとき、図２５（ｂ）は、電力抑制期間中の表示例を示している。図２５（ｂ）において、空調機４ａは、図２３で例示した電力使用量に基づいて稼動し、状態取得部１０２がステップＳ１０４で取得した空調機４ａの運転モードＭ４２１ａと運転レベルＭ４２２ａがそれぞれ冷房と２８℃であり、調整情報抽出部１３１がステップＳ１３１で抽出した電力許容値が５ｋＷであり、電力情報取得部１３９がステップＳ１３２で取得した施設Ｈの電力使用量が４．５ｋＷであるとする。施設Ｈにおける電力使用量が電力許容値を上回らないようにするには、空調機４ａの電力変化量を５００Ｗ以下とする必要があり、表示制御部１３６は、運転レベルＭ４２２ａを２４℃まで変更可能な設定項目を表示するよう判断する。
【００８５】
以上で説明したように、実施の形態３に係る制御装置１３０によれば、施設Ｈの電力使用量を取得する電力情報取得部１３９を備え、調整情報抽出部１３１が取得する指示２３には、施設Ｈにおける電力使用量の許容値を含み、表示制御部１３６は、各機器４が、状態取得部１０２が取得した動作状態から別の動作状態に遷移する場合の電力変化量を算出し、算出した電力変化量と、電力情報取得部１３９が取得した電力使用量とから、機器４が別の動作状態に遷移した場合の施設Ｈにおける電力使用量を見積り、見積った電力使用量が許容値以下であれば、機器４を別の動作状態に遷移させるための設定項目を表示するよう判断するので、電力許容値に収まる操作のみを利用者に提示することで、電力制限下にあることを意識させず、電力制限活動に対して不満を抱かせないようにすることができる。
【００８６】
図２６は、本発明の実施の形態１から実施の形態３に係る制御装置１００，１１０，１２０，１３０のハードウェア構成例を示す図である。制御装置１００，１１０，１２０，１３０は、プロセッサ１００１、メモリ１００２、インターフェース１００３で構成されている。制御装置１００，１１０，１２０，１３０における調整情報抽出部１０１，１３１、状態取得部１０２、操作取得部１０３、機器司令部１０４、操作構築部１０５、表示制御部１０６，１１６，１２６，１３６、画面生成部１０７、出力部１０８、電力情報取得部１３９の各機能は、それぞれプロセッサ１００１により実現される。プロセッサ１００１は、メモリ１００２に格納されるプログラムを実行するＣＰＵ（Ｃｅｎｔｒａｌ  Ｐｒｏｃｅｓｓｉｎｇ  Ｕｎｉｔ）である。メモリ１００２には、プロセッサ１００１が実行するプログラムが記憶される。
【００８７】
インターフェース１００３は、調整情報抽出部１０１，１３１、状態取得部１０２、操作取得部１０３、機器司令部１０４、出力部１０８、電力情報取得部１３９が、制御装置１００，１１０，１２０，１３０の外部と入出力する信号の送受信をそれぞれ行う。
【００８８】
制御装置１００，１１０，１２０，１３０における調整情報抽出部１０１，１３１、状態取得部１０２、操作取得部１０３、機器司令部１０４、操作構築部１０５、表示制御部１０６，１１６，１２６，１３６、画面生成部１０７、出力部１０８、電力情報取得部１３９の各機能は、ソフトウェア、ファームウェア、またはソフトウェアとファームウェアとの組み合わせにより実現される。ソフトウェアやファームウェアは、プログラムとして記述され、メモリ１００２に格納される。プロセッサ１００１は、メモリ１００２に記憶されたプログラムを読み出して実行することにより、各部の機能を実現する。すなわち、制御装置１００，１１０，１２０，１３０は、プロセッサ１００１により実行されるときに、制御装置１００，１１０，１２０，１３０の調整情報抽出部１０１，１３１、状態取得部１０２、操作取得部１０３、機器司令部１０４、操作構築部１０５、表示制御部１０６，１１６，１２６，１３６、画面生成部１０７、出力部１０８、電力情報取得部１３９を制御するステップが結果的に実行されることになるプログラムを格納するためのメモリ１００２をそれぞれ備える。
【００８９】
また、これらのプログラムは、制御装置１００，１１０，１２０，１３０の調整情報抽出部１０１，１３１、状態取得部１０２、操作取得部１０３、機器司令部１０４、操作構築部１０５、表示制御部１０６，１１６，１２６，１３６、画面生成部１０７、出力部１０８、電力情報取得部１３９の手順や方法をそれぞれコンピュータに実行させるものであるともいえる。
【００９０】
ここで、メモリとは、例えば、ＲＡＭ、ＲＯＭ、フラッシュメモリ、ＥＰＲＯＭ、ＥＥＰＲＯＭなどの、不揮発性または揮発性の半導体メモリや、磁気ディスク、フレキシブルディスク、光ディスク、コンパクトディスク、ミニディスク、ＤＶＤ等が該当する。図２６では、プロセッサ１００１およびメモリ１００２をそれぞれ一つで構成する例を示しているが、複数のプロセッサおよび複数のメモリが連携して上記機能を実行してもよい。
【００９１】
その他、前記のハードウェア構成やフローチャートは一例であり、任意に変更および修正が可能である。
【００９２】
プロセッサ１００１、メモリ１００２で構成される制御装置１００，１１０，１２０，１３０における調整情報抽出部１０１，１３１、状態取得部１０２、操作取得部１０３、機器司令部１０４、操作構築部１０５、表示制御部１０６，１１６，１２６，１３６、画面生成部１０７、出力部１０８、電力情報取得部１３９の各機能を実現する中心となる部分は、専用のシステムによらず、通常のコンピュータシステムを用いて実現可能である。例えば、前記の動作を実行するためのプログラムを、コンピュータが読み取り可能なＣＤ−ＲＯＭ、ＤＶＤ−ＲＯＭなどの記録媒体に格納して配布し、前記プログラムをコンピュータにインストールすることにより、上述の各機能を実現することができるコンピュータを構成してもよい。そして、各機能をＯＳ（Ｏｐｅｒａｔｉｎｇ  Ｓｙｓｔｅｍ）とアプリケーションとの分担、またはＯＳとアプリケーションとの協同により実現する場合等には、ＯＳ以外の部分のみを記録媒体に格納してもよい。
【００９３】
さらに、搬送波に各プログラムを重畳し、通信ネットワークを介して配信することも可能である。例えば、通信ネットワーク上の掲示板（ＢＢＳ，  Ｂｕｌｌｅｔｉｎ  Ｂｒｏａｄ  Ｓｙｓｔｅｍ）に当該プログラムを掲示し、ネットワークを介して当該プログラムを配信してもよい。そして、これらのプログラムを起動し、ＯＳの制御下で、他のアプリケーションプログラムと同様に実行することにより、上述の処理を実行できるように構成してもよい。
【００９４】
以上、本発明の好ましい実施の形態について説明したが、本発明は係る特定の実施の形態に限定されるものではなく、本発明には、特許請求の範囲に記載された発明とその均等の範囲が含まれる。
【符号の説明】
【００９５】
１０００，１１００，２０００，３０００  機器制御システム、  ２  サーバ、  ３  操作端末、  ４，４ａ，４ｂ，４ｃ，４ｄ  機器、  ５  商用電源、  ６  分電盤、  ６３  電流センサ、  ７  電力測定装置、  １００，１１０，１２０，１３０  制御装置、  １０１，１３１  調整情報抽出部、  １０２  状態取得部、  １０３  操作取得部、    １０４  機器指令部、  １０５  操作構築部、  １０６，１１６，１２６，１３６  表示制御部、  １０７  画面生成部、  １０８  出力部、  １３９  電力情報取得部、  １００１  プロセッサ、  １００２  メモリ、  １００３  インターフェース。
【図１】
2019176690.tif 000003
【図２】
2019176690.tif 000004
【図３】
2019176690.tif 000005
【図４】
2019176690.tif 000006
【図５】
2019176690.tif 000007
【図６】
2019176690.tif 000008
【図７】
2019176690.tif 000009
【図８】
2019176690.tif 000010
【図９】
2019176690.tif 000011
【図１０】
2019176690.tif 000012
【図１１】
2019176690.tif 000013
【図１２】
2019176690.tif 000014
【図１３】
2019176690.tif 000015
【図１４】
2019176690.tif 000016
【図１５】
2019176690.tif 000017
【図１６】
2019176690.tif 000018
【図１７】
2019176690.tif 000019
【図１８】
2019176690.tif 000020
【図１９】
2019176690.tif 000021
【図２０】
2019176690.tif 000022
【図２１】
2019176690.tif 000023
【図２２】
2019176690.tif 000024
【図２３】
2019176690.tif 000025
【図２４】
2019176690.tif 000026
【図２５】
2019176690.tif 000027
【図２６】
2019176690.tif 000028